(57)【要約】      （修正有）【課題】複数のＰＤＳＣＨに対するＡＣＫ／ＮＡＣＫを１つのＰＵＳＣＨで送信する際に、効率的にＡＣＫ／ＮＡＣＫを符号化し送信する。【解決手段】移動局装置は、基地局装置に設定された複数の下りリンクコンポーネントキャリアで１つまたは複数のＰＤＳＣＨを受信する。ＰＤＳＣＨに含まれる１つまたは複数の下りリンクデータの復号の成否に応じてＡＣＫ／ＮＡＣＫを生成する。基地局装置に設定された番号が小さい下りリンクコンポーネントキャリアに対応する下りリンクデータのＡＣＫ／ＮＡＣＫのビットから順番に並べる。ＰＵＳＣＨで送信するＡＣＫ／ＮＡＣＫに用いるＡＣＫ／ＮＡＣＫの変調シンボルの数をＡＣＫ／ＮＡＣＫのビット数などから算出する。通信路符号化を行なった符号化ビットの系列に、予め定められた値ｘの符号化ビットを挿入する。符号化した上りリンクデータとＡＣＫ／ＮＡＣＫを同じ変調方式で変調し、基地局装置へ送信する。【選択図】図６
2011259125.tif 000002
【特許請求の範囲】
【請求項１】
複数のコンポーネントキャリアを用いて移動局装置と基地局装置が無線通信を行なう無線通信システムにおいて、
前記移動局装置は、
複数の下りリンクコンポーネントキャリアで受信した複数の下りリンクデータに対する複数の応答情報に第１の符号化を行い、
前記第１の符号化をした応答情報の変調シンボルが４つの信号点のみに配置されるように第２の符号化を行い、
前記第２の符号化を行なった応答情報と第３の符号化を行なった上りリンクデータを同じ変調方式を用いて４以上の信号点を持つ変調シンボルに変調し、同じ物理上りリンク共用チャネルで送信し、
前記基地局装置は、
前記物理上りリンク共用チャネルを受信し、前記応答情報の復号処理を行う
ことを特徴とする無線通信システム。
【請求項２】
前記移動局装置は、
前記物理上りリンク共用チャネルで１つの前記上りリンクデータのみ送信するか、複数の前記上りリンクデータを空間多重して送信するかに応じて、前記応答情報に第２の符号化を行なうか否かを決定する
ことを特徴とする請求項１に記載の無線通信システム。
【請求項３】
複数のコンポーネントキャリアを用いて移動局装置と基地局装置が無線通信を行なう無線通信システムにおいて、
前記移動局装置は、
複数の下りリンクコンポーネントキャリアで受信した複数の下りリンクデータに対する複数の応答情報の送信に用いる変調シンボルの数を、少なくとも前記応答情報のビット数と前記上りリンクデータのビット数と前記物理上りリンク共用チャネルの初期送信に割り当てられた無線リソースの量を用いて計算し、
前記計算した変調シンボル数と予め決められた変調シンボル数を比較し、多いほうの変調シンボル数の変調シンボルを用いて前記応答情報を物理上りリンク共用チャネルで送信し、
前記基地局装置は、
前記物理上りリンク共用チャネルを受信し、前記応答情報の復号処理を行う
ことを特徴とする無線通信システム。
【請求項４】
複数のコンポーネントキャリアを用いて移動局装置と基地局装置が無線通信を行なう無線通信システムにおいて、
前記移動局装置は、
複数の下りリンクコンポーネントキャリアで受信した複数の下りリンクデータに対する複数の応答情報の送信に用いるビット数を、前記基地局装置に設定された下りリンクコンポーネントキャリアの数から計算し、
下りリンクデータを受信しなかった前記設定された下りリンクコンポーネントキャリアに対する前記応答情報を予め決められた値にセットし、
前記応答情報を符号化および変調し、物理上りリンク共用チャネルで送信し、
前記基地局装置は、
前記物理上りリンク共用チャネルを受信し、前記応答情報の復号処理を行う
ことを特徴とする無線通信システム。
【請求項５】
複数のコンポーネントキャリアを用いて基地局装置と無線通信を行なう移動局装置において、
複数の下りリンクコンポーネントキャリアで受信した複数の下りリンクデータに対する複数の応答情報に第１の符号化を行い、
前記第１の符号化をした応答情報の変調シンボルが４つの信号点のみに配置されるように第２の符号化を行い、
前記第２の符号化を行なった応答情報と第３の符号化を行なった上りリンクデータを同じ変調方式を用いて４以上の信号点を持つ変調シンボルに変調し、同じ物理上りリンク共用チャネルで送信する
ことを特徴とする移動局装置。
【請求項６】
複数のコンポーネントキャリアを用いて基地局装置と無線通信を行なう移動局装置において、
複数の下りリンクコンポーネントキャリアで受信した複数の下りリンクデータに対する複数の応答情報の送信に用いる変調シンボルの数を、少なくとも前記応答情報のビット数と前記上りリンクデータのビット数と前記物理上りリンク共用チャネルの初期送信に割り当てられた無線リソースの量を用いて計算し、
前記計算した変調シンボル数と予め決められた変調シンボル数を比較し、多いほうの変調シンボル数の変調シンボルを用いて前記応答情報を物理上りリンク共用チャネルで送信する
ことを特徴とする移動局装置。
【請求項７】
複数のコンポーネントキャリアを用いて基地局装置と無線通信を行なう移動局装置において、
複数の下りリンクコンポーネントキャリアで受信した複数の下りリンクデータに対する複数の応答情報の送信に用いるビット数を、前記基地局装置に設定された下りリンクコンポーネントキャリアの数から計算し、
下りリンクデータを受信しなかった前記設定された下りリンクコンポーネントキャリアに対する前記応答情報を予め決められた値にセットし、
前記応答情報を符号化および変調し、物理上りリンク共用チャネルで送信する
ことを特徴とする移動局装置。
【請求項８】
複数のコンポーネントキャリアを用いて移動局装置と無線通信を行なう基地局装置において、
前記移動局装置は、
複数の下りリンクコンポーネントキャリアで受信した複数の下りリンクデータに対する複数の応答情報に第１の符号化を行い、
前記第１の符号化をした応答情報の変調シンボルが４つの信号点のみに配置されるように第２の符号化を行い、
前記第２の符号化を行なった応答情報と第３の符号化を行なった上りリンクデータを同じ変調方式を用いて４以上の信号点を持つ変調シンボルに変調し、同じ物理上りリンク共用チャネルで送信し、
前記基地局装置は、
前記物理上りリンク共用チャネルを受信し、前記応答情報の復号処理を行う
ことを特徴とする基地局装置。
【請求項９】
複数のコンポーネントキャリアを用いて基地局装置と無線通信を行なう移動局装置に用いられる無線通信方法において、
複数の下りリンクコンポーネントキャリアで受信した複数の下りリンクデータに対する複数の応答情報に第１の符号化を行うステップと、
前記第１の符号化をした応答情報の変調シンボルが４つの信号点のみに配置されるように第２の符号化を行うステップと、
前記第２の符号化を行なった応答情報と第３の符号化を行なった上りリンクデータを同じ変調方式を用いて４以上の信号点を持つ変調シンボルに変調し、同じ物理上りリンク共用チャネルで送信するステップを有する
ことを特徴とする無線通信方法。
【請求項１０】
複数のコンポーネントキャリアを用いて基地局装置と無線通信を行なう移動局装置に用いられる無線通信方法において、
複数の下りリンクコンポーネントキャリアで受信した複数の下りリンクデータに対する複数の応答情報の送信に用いる変調シンボルの数を、少なくとも前記応答情報のビット数と前記上りリンクデータのビット数と前記物理上りリンク共用チャネルの初期送信に割り当てられた無線リソースの量を用いて計算するステップと、
前記計算した変調シンボル数と予め決められた変調シンボル数を比較し、多いほうの変調シンボル数の変調シンボルを用いて前記応答情報を物理上りリンク共用チャネルで送信するステップを有する
ことを特徴とする無線通信方法。
【請求項１１】
複数のコンポーネントキャリアを用いて基地局装置と無線通信を行なう移動局装置に用いられる無線通信方法において、
複数の下りリンクコンポーネントキャリアで受信した複数の下りリンクデータに対する複数の応答情報の送信に用いるビット数を、前記基地局装置に設定された下りリンクコンポーネントキャリアの数から計算するステップと、
下りリンクデータを受信しなかった前記設定された下りリンクコンポーネントキャリアに対する前記応答情報を予め決められた値にセットするステップを有する
ことを特徴とする無線通信方法。
【請求項１２】
複数のコンポーネントキャリアを用いて移動局装置と無線通信を行なう基地局装置に用いられる無線通信方法において、
前記移動局装置は、
複数の下りリンクコンポーネントキャリアで受信した複数の下りリンクデータに対する複数の応答情報に第１の符号化を行い、
前記第１の符号化をした応答情報の変調シンボルが４つの信号点のみに配置されるように第２の符号化を行い、
前記第２の符号化を行なった応答情報と第３の符号化を行なった上りリンクデータを同じ変調方式を用いて４以上の信号点を持つ変調シンボルに変調し、同じ物理上りリンク共用チャネルで送信し、
前記基地局装置は、
前記物理上りリンク共用チャネルを受信するステップと、前記応答情報の復号処理を行うステップを有する
ことを特徴とする無線通信方法。
【請求項１３】
複数のコンポーネントキャリアを用いて基地局装置と無線通信を行なう移動局装置に用いられる集積回路において、
複数の下りリンクコンポーネントキャリアで受信した複数の下りリンクデータに対する複数の応答情報に第１の符号化を行うステップと、
前記第１の符号化をした応答情報の変調シンボルが４つの信号点のみに配置されるように第２の符号化を行うステップと、
前記第２の符号化を行なった応答情報と第３の符号化を行なった上りリンクデータを同じ変調方式を用いて４以上の信号点を持つ変調シンボルに変調し、同じ物理上りリンク共用チャネルで送信するステップを有する
ことを特徴とする集積回路。
【請求項１４】
複数のコンポーネントキャリアを用いて基地局装置と無線通信を行なう移動局装置に用いられる集積回路において、
複数の下りリンクコンポーネントキャリアで受信した複数の下りリンクデータに対する複数の応答情報の送信に用いる変調シンボルの数を、少なくとも前記応答情報のビット数と前記上りリンクデータのビット数と前記物理上りリンク共用チャネルの初期送信に割り当てられた無線リソースの量を用いて計算するステップと、
前記計算した変調シンボル数と予め決められた変調シンボル数を比較し、多いほうの変調シンボル数の変調シンボルを用いて前記応答情報を物理上りリンク共用チャネルで送信するステップを有する
ことを特徴とする集積回路。
【請求項１５】
複数のコンポーネントキャリアを用いて基地局装置と無線通信を行なう移動局装置に用いられる集積回路において、
複数の下りリンクコンポーネントキャリアで受信した複数の下りリンクデータに対する複数の応答情報の送信に用いるビット数を、前記基地局装置に設定された下りリンクコンポーネントキャリアの数から計算するステップと、
下りリンクデータを受信しなかった前記設定された下りリンクコンポーネントキャリアに対する前記応答情報を予め決められた値にセットするステップを有する
ことを特徴とする集積回路。
【請求項１６】
複数のコンポーネントキャリアを用いて移動局装置と無線通信を行なう基地局装置に用いられる無線通信方法において、
前記移動局装置は、
複数の下りリンクコンポーネントキャリアで受信した複数の下りリンクデータに対する複数の応答情報に第１の符号化を行い、
前記第１の符号化をした応答情報の変調シンボルが４つの信号点のみに配置されるように第２の符号化を行い、
前記第２の符号化を行なった応答情報と第３の符号化を行なった上りリンクデータを同じ変調方式を用いて４以上の信号点を持つ変調シンボルに変調し、同じ物理上りリンク共用チャネルで送信し、
前記集積回路は、
前記物理上りリンク共用チャネルを受信するステップと、前記応答情報の復号処理を行うステップを有する
ことを特徴とする集積回路。
【発明の詳細な説明】
【技術分野】
【０００１】
本発明は、無線通信システム、基地局装置、移動局装置、無線通信方法および集積回路に関する。
【背景技術】
【０００２】
セルラー移動通信の無線アクセス方式および無線ネットワークの進化（以下、「Long Term Evolution （LTE）」、または、「Evolved Universal Terrestrial Radio Access （EUTRA）」と称する。）が、第三世代パートナーシッププロジェクト（3rd Generation Partnership Project: 3GPP）において検討されている。ＬＴＥでは、基地局装置から移動局装置への無線通信（下りリンク）の通信方式として、マルチキャリア送信である直交周波数分割多重（Orthogonal Frequency Division Multiplexing: OFDM）方式が用いられる。また、移動局装置から基地局装置への無線通信（上りリンク）の通信方式として、シングルキャリア送信であるＳＣ−ＦＤＭＡ（Single-Carrier Frequency Division Multiple Access）方式が用いられる。
【０００３】
ＬＴＥでは、移動局装置が物理下りリンク共用チャネル（Physical Downlink Control Channel: PDCCH）で受信した下りリンクデータの復号に成功したか否かを示すＡＣＫ（Acknowledgement）／ＮＡＣＫＮＡＣＫ（Negative Acknowledgement）は、物理上りリンク制御チャネル（Physical Uplink Control Channel: PUCCH）または物理上りリンク共用チャネル（Physical Uplink Shared Channel: PUSCH）を用いて送信される。移動局装置がＡＣＫ／ＮＡＣＫを送信する時にＰＵＳＣＨの無線リソースを割り当てられている場合はＰＵＳＣＨでＡＣＫ／ＮＡＣＫを送信し、ＡＣＫ／ＮＡＣＫを送信する時にＰＵＳＣＨの無線リソースを割り当てられていない場合はＰＵＣＣＨでＡＣＫ／ＮＡＣＫを送信する。
【０００４】
ＬＴＥより広帯域な周波数帯域を利用して、さらに高速なデータの通信を実現する無線アクセス方式および無線ネットワーク（以下、「Long Term Evolution-Advanced (LTE-A)」、または、「Advanced Evolved Universal Terrestrial Radio Access (A-EUTRA)」と称する。）では、ＬＴＥとの後方互換性(backward compatibility)を持つことが検討されている。つまり、ＬＴＥ−Ａの基地局装置はＬＴＥ−ＡおよびＬＴＥ両方の移動局装置と同時に無線通信を行ない、また、ＬＴＥ−Ａの移動局装置はＬＴＥ−ＡおよびＬＴＥ両方の基地局装置と無線通信を行なうことができ、ＬＴＥ−ＡはＬＴＥと同一のチャネル構造を用いる。
【０００５】
ＬＴＥ−Ａでは、ＬＴＥと同一のチャネル構造の周波数帯域（以下、「キャリア要素（Carrier Component: CC）」、または、「コンポーネントキャリア（Component Carrier: CC）」と称する。）を複数用いて、１つの周波数帯域（広帯域な周波数帯域）として使用する技術（周波数帯域集約: Spectrum aggregation、Carrier aggregation、Frequency aggregation等とも称される。）が提案されている。例えば、周波数帯域集約を用いた通信では、基地局装置は下りリンクコンポーネントキャリアそれぞれに１つのＰＤＳＣＨを配置し、移動局装置に複数のＰＤＳＣＨを同時に送信する。
【０００６】
非特許文献１には、移動局装置が同時に受信し複数のＰＤＳＣＨそれぞれに対する複数のＡＣＫ／ＮＡＣＫを基地局装置に送信する際に、移動局装置が送信する複数のＰＵＳＣＨの中から選択した１つのＰＵＳＣＨを用いて上りリンクデータと複数のＡＣＫ／ＮＡＣＫをともに送信することが記載されている。
【０００７】
ＬＴＥ−Aの上りリンクでは、ＬＴＥからの更なるスループット向上のためＭＩＭＯ  ＳＭ（Multiple Input Multiple Output Spatial Multiplexing）による空間多重を利用することが議論されている。つまり、上位レイヤにおける情報チャネル（上りリンクデータ）（UL-SCH：Uplink Shared Channel）では2以上の空間多重数（以下ではランクもしくはRankと呼称する）での送信が実現される。
【０００８】
それに対し、ＡＣＫ（ACKnowledgement）／ＮＡＣＫ（Negative ACKnowledgement）やＲＩ（Rank Indicator）などの高い品質が要求される上りリンク制御情報については、空間多重される領域（以下ではレイヤもしくはLayerと呼称する）のすべてに対して送信系列を複製することにより、仮想的にランク１での通信を実現することが提案されている。つまり、ランク２以上の上りリンクデータ通信と、ランク１のＡＣＫ／ＮＡＣＫ、ＲＩ送信が混在した通信が行われる。これについて、非特許文献２では、制御情報の複製作成方法として、チャネル符号化後のビット列を各レイヤに割り当てることを提案している。
【先行技術文献】
【非特許文献】
【０００９】
【非特許文献１】"UCI Transmission in the Presence of UL-SCH Data", 3GPP TSG RAN WG1 Meeting #61, R1-103067, May 10-14, 2010.
【非特許文献２】"Performance evaluation of UCI multiplexing schemes on PUSCH in case of SU-MIMO", 3GPP TSG RAN WG1 Meeting #61, R1-102962, May 10-14, 2010.
【発明の概要】
【発明が解決しようとする課題】
【００１０】
しかしながら、従来の技術では、複数のコンポーネントキャリアを用いて基地局装置と移動局装置が無線通信をする際に、複数の下りリンクコンポーネントキャリアで受信した複数のＰＤＳＣＨに対するＡＣＫ／ＮＡＣＫを１つのＰＵＳＣＨで送信する際に、ＡＣＫ／ＮＡＣＫを符号化する方法や、ＡＣＫ／ＮＡＣＫの送信に用いられる変調シンボルの数を決定する方法などの具体的な方法は開示されていない。
【００１１】
本発明は上記の点に鑑みてなされたものであり、その目的は、移動局装置が複数の下りリンクコンポーネントキャリアで受信した複数のＰＤＳＣＨに対するＡＣＫ／ＮＡＣＫを１つのＰＵＳＣＨで送信する際に、効率的にＡＣＫ／ＮＡＣＫを符号化し送信する無線通信システム、基地局装置、移動局装置、無線通信方法および集積回路を提供することを目的とする。
【課題を解決するための手段】
【００１２】
（１）上記の目的を達成するために、本発明は、以下のような手段を講じた。すなわち、本発明の無線通信システムは、複数のコンポーネントキャリアを用いて移動局装置と基地局装置が無線通信を行なう無線通信システムであって、前記移動局装置は、複数の下りリンクコンポーネントキャリアで受信した複数の下りリンクデータに対する複数の応答情報に第１の符号化を行い、前記第１の符号化をした応答情報の変調シンボルが４つの信号点のみに配置されるように第２の符号化を行い、前記第２の符号化を行なった応答情報と第３の符号化を行なった上りリンクデータを同じ変調方式を用いて４以上の信号点を持つ変調シンボルに変調し、同じ物理上りリンク共用チャネルで送信し、前記基地局装置は、前記物理上りリンク共用チャネルを受信し、前記応答情報の復号処理を行うことを特徴としている。
【００１３】
（２）また、本発明は、上記の無線通信システムにおいて、前記移動局装置は、前記物理上りリンク共用チャネルで１つの前記上りリンクデータのみ送信するか、複数の前記上りリンクデータを空間多重して送信するかに応じて、前記応答情報に第２の符号化を行なうか否かを決定することを特徴としている。
【００１４】
（３）また、本発明の無線通信システムは、複数のコンポーネントキャリアを用いて移動局装置と基地局装置が無線通信を行なう無線通信システムであって、前記移動局装置は、複数の下りリンクコンポーネントキャリアで受信した複数の下りリンクデータに対する複数の応答情報の送信に用いる変調シンボルの数を、少なくとも前記応答情報のビット数と前記上りリンクデータのビット数と前記物理上りリンク共用チャネルの初期送信に割り当てられた無線リソースの量を用いて計算し、前記計算した変調シンボル数と予め決められた変調シンボル数を比較し、多いほうの変調シンボル数の変調シンボルを用いて前記応答情報を物理上りリンク共用チャネルで送信し、前記基地局装置は、前記物理上りリンク共用チャネルを受信し、前記応答情報の復号処理を行うことを特徴としている。
【００１５】
（４）また、本発明の無線通信システムは、複数のコンポーネントキャリアを用いて移動局装置と基地局装置が無線通信を行なう無線通信システムであって、前記移動局装置は、複数の下りリンクコンポーネントキャリアで受信した複数の下りリンクデータに対する複数の応答情報の送信に用いるビット数を、前記基地局装置に設定された下りリンクコンポーネントキャリアの数から計算し、下りリンクデータを受信しなかった前記設定された下りリンクコンポーネントキャリアに対する前記応答情報を予め決められた値にセットし、前記応答情報を符号化および変調し、物理上りリンク共用チャネルで送信し、前記基地局装置は、前記物理上りリンク共用チャネルを受信し、前記応答情報の復号処理を行うことを特徴としている。
【００１６】
（５）また、本発明の移動局装置は、複数のコンポーネントキャリアを用いて基地局装置と無線通信を行なう移動局装置であって、複数の下りリンクコンポーネントキャリアで受信した複数の下りリンクデータに対する複数の応答情報に第１の符号化を行い、前記第１の符号化をした応答情報の変調シンボルが４つの信号点のみに配置されるように第２の符号化を行い、前記第２の符号化を行なった応答情報と第３の符号化を行なった上りリンクデータを同じ変調方式を用いて４以上の信号点を持つ変調シンボルに変調し、同じ物理上りリンク共用チャネルで送信することを特徴としている。
【００１７】
（６）また、本発明の移動局装置は、複数のコンポーネントキャリアを用いて基地局装置と無線通信を行なう移動局装置であって、複数の下りリンクコンポーネントキャリアで受信した複数の下りリンクデータに対する複数の応答情報の送信に用いる変調シンボルの数を、少なくとも前記応答情報のビット数と前記上りリンクデータのビット数と前記物理上りリンク共用チャネルの初期送信に割り当てられた無線リソースの量を用いて計算し、前記計算した変調シンボル数と予め決められた変調シンボル数を比較し、多いほうの変調シンボル数の変調シンボルを用いて前記応答情報を物理上りリンク共用チャネルで送信することを特徴としている。
【００１８】
（７）また、本発明の移動局装置は、複数のコンポーネントキャリアを用いて基地局装置と無線通信を行なう移動局装置であって、複数の下りリンクコンポーネントキャリアで受信した複数の下りリンクデータに対する複数の応答情報の送信に用いるビット数を、前記基地局装置に設定された下りリンクコンポーネントキャリアの数から計算し、下りリンクデータを受信しなかった前記設定された下りリンクコンポーネントキャリアに対する前記応答情報を予め決められた値にセットし、前記応答情報を符号化および変調し、物理上りリンク共用チャネルで送信することを特徴としている。
【００１９】
（８）また、本発明の基地局装置は、複数のコンポーネントキャリアを用いて移動局装置と無線通信を行なう基地局装置であって、前記移動局装置は、複数の下りリンクコンポーネントキャリアで受信した複数の下りリンクデータに対する複数の応答情報に第１の符号化を行い、前記第１の符号化をした応答情報の変調シンボルが４つの信号点のみに配置されるように第２の符号化を行い、前記第２の符号化を行なった応答情報と第３の符号化を行なった上りリンクデータを同じ変調方式を用いて４以上の信号点を持つ変調シンボルに変調し、同じ物理上りリンク共用チャネルで送信し、前記基地局装置は、前記物理上りリンク共用チャネルを受信し、前記応答情報の復号処理を行うことを特徴としている。
【００２０】
（９）また、本発明の無線通信方法は、複数のコンポーネントキャリアを用いて基地局装置と無線通信を行なう移動局装置に用いられる無線通信方法であって、複数の下りリンクコンポーネントキャリアで受信した複数の下りリンクデータに対する複数の応答情報に第１の符号化を行うステップと、前記第１の符号化をした応答情報の変調シンボルが４つの信号点のみに配置されるように第２の符号化を行うステップと、前記第２の符号化を行なった応答情報と第３の符号化を行なった上りリンクデータを同じ変調方式を用いて４以上の信号点を持つ変調シンボルに変調し、同じ物理上りリンク共用チャネルで送信するステップを有することを特徴としている。
【００２１】
（１０）また、本発明の無線通信方法は、複数のコンポーネントキャリアを用いて基地局装置と無線通信を行なう移動局装置に用いられる無線通信方法であって、複数の下りリンクコンポーネントキャリアで受信した複数の下りリンクデータに対する複数の応答情報の送信に用いる変調シンボルの数を、少なくとも前記応答情報のビット数と前記上りリンクデータのビット数と前記物理上りリンク共用チャネルの初期送信に割り当てられた無線リソースの量を用いて計算するステップと、前記計算した変調シンボル数と予め決められた変調シンボル数を比較し、多いほうの変調シンボル数の変調シンボルを用いて前記応答情報を物理上りリンク共用チャネルで送信するステップを有することを特徴としている。
【００２２】
（１１）また、本発明の無線通信方法は、複数のコンポーネントキャリアを用いて基地局装置と無線通信を行なう移動局装置に用いられる無線通信方法であって、複数の下りリンクコンポーネントキャリアで受信した複数の下りリンクデータに対する複数の応答情報の送信に用いるビット数を、前記基地局装置に設定された下りリンクコンポーネントキャリアの数から計算するステップと、下りリンクデータを受信しなかった前記設定された下りリンクコンポーネントキャリアに対する前記応答情報を予め決められた値にセットするステップを有することを特徴としている。
【００２３】
（１２）また、本発明の無線通信方法は、複数のコンポーネントキャリアを用いて移動局装置と無線通信を行なう基地局装置に用いられる無線通信方法であって、前記移動局装置は、複数の下りリンクコンポーネントキャリアで受信した複数の下りリンクデータに対する複数の応答情報に第１の符号化を行い、前記第１の符号化をした応答情報の変調シンボルが４つの信号点のみに配置されるように第２の符号化を行い、前記第２の符号化を行なった応答情報と第３の符号化を行なった上りリンクデータを同じ変調方式を用いて４以上の信号点を持つ変調シンボルに変調し、同じ物理上りリンク共用チャネルで送信し、前記基地局装置は、前記物理上りリンク共用チャネルを受信するステップと、前記応答情報の復号処理を行うステップを有することを特徴としている。
【００２４】
（１３）また、本発明の集積回路は、複数のコンポーネントキャリアを用いて基地局装置と無線通信を行なう移動局装置に用いられる集積回路であって、複数の下りリンクコンポーネントキャリアで受信した複数の下りリンクデータに対する複数の応答情報に第１の符号化を行うステップと、前記第１の符号化をした応答情報の変調シンボルが４つの信号点のみに配置されるように第２の符号化を行うステップと、前記第２の符号化を行なった応答情報と第３の符号化を行なった上りリンクデータを同じ変調方式を用いて４以上の信号点を持つ変調シンボルに変調し、同じ物理上りリンク共用チャネルで送信するステップを有することを特徴としている。
【００２５】
（１４）また、本発明の集積回路は、複数のコンポーネントキャリアを用いて基地局装置と無線通信を行なう移動局装置に用いられる集積回路であって、複数の下りリンクコンポーネントキャリアで受信した複数の下りリンクデータに対する複数の応答情報の送信に用いる変調シンボルの数を、少なくとも前記応答情報のビット数と前記上りリンクデータのビット数と前記物理上りリンク共用チャネルの初期送信に割り当てられた無線リソースの量を用いて計算するステップと、前記計算した変調シンボル数と予め決められた変調シンボル数を比較し、多いほうの変調シンボル数の変調シンボルを用いて前記応答情報を物理上りリンク共用チャネルで送信するステップを有することを特徴としている。
【００２６】
（１５）また、本発明の集積回路は、複数のコンポーネントキャリアを用いて基地局装置と無線通信を行なう移動局装置に用いられる集積回路であって、複数の下りリンクコンポーネントキャリアで受信した複数の下りリンクデータに対する複数の応答情報の送信に用いるビット数を、前記基地局装置に設定された下りリンクコンポーネントキャリアの数から計算するステップと、下りリンクデータを受信しなかった前記設定された下りリンクコンポーネントキャリアに対する前記応答情報を予め決められた値にセットするステップを有することを特徴としている。
【００２７】
（１６）また、本発明の集積回路は、複数のコンポーネントキャリアを用いて移動局装置と無線通信を行なう基地局装置に用いられる無線通信方法であって、前記移動局装置は、複数の下りリンクコンポーネントキャリアで受信した複数の下りリンクデータに対する複数の応答情報に第１の符号化を行い、前記第１の符号化をした応答情報の変調シンボルが４つの信号点のみに配置されるように第２の符号化を行い、前記第２の符号化を行なった応答情報と第３の符号化を行なった上りリンクデータを同じ変調方式を用いて４以上の信号点を持つ変調シンボルに変調し、同じ物理上りリンク共用チャネルで送信し、前記集積回路は、前記物理上りリンク共用チャネルを受信するステップと、前記応答情報の復号処理を行うステップを有することを特徴としている。
【発明の効果】
【００２８】
この発明によれば、移動局装置が複数の下りリンクコンポーネントキャリアで受信した複数のＰＤＳＣＨに対するＡＣＫ／ＮＡＣＫを１つのＰＵＳＣＨで送信する際に、効率的にＡＣＫ／ＮＡＣＫを符号化し送信することができる。
【図面の簡単な説明】
【００２９】
【図１】本発明の無線通信システムの概念図である。
【図２】本発明の周波数帯域集約処理の一例を示す図である。
【図３】本発明の下りリンクの無線フレームの構成の一例を示す概略図である。
【図４】本発明の上りリンクの無線フレームの構成の一例を示す概略図である。
【図５】本発明のＰＵＳＣＨで上りリンクデータと上りリンク制御情報を同時に送信する方法を説明する図である。
【図６】本発明の移動局装置１の動作の一例を示すフローチャート図である。
【図７】本発明の移動局装置１の構成を示す概略ブロック図である。
【図８】本発明の基地局装置３の構成を示す概略ブロック図である。す図である。
【発明を実施するための形態】
【００３０】
以下、図面を参照しながら本発明の実施形態について詳しく説明する。
【００３１】
まず、本発明の物理チャネルについて説明する。
【００３２】
図１は、本発明の無線通信システムの概念図である。図１において、無線通信システムは、移動局装置１Ａ〜１Ｃ、および基地局装置３を具備する。図１は、基地局装置３から移動局装置１Ａ〜１Ｃへの無線通信（下りリンク）では、同期信号（Synchronization signal: SS）、下りリンク参照信号（Downlink Reference Signal: DL RS）、物理報知チャネル（Physical Broadcast Channel: PBCH）、物理下りリンク制御チャネル（Physical Downlink Control Channel: PDCCH）、物理下りリンク共用チャネル（Physical Downlink Shared Channel: PDSCH）、物理マルチキャストチャネル（Physical Multicast Channel: PMCH）、物理制御フォーマットインディケータチャネル（Physical Control Format Indicator Channel: PCFICH）、物理ＨＡＲＱインディケータチャネル（Physical Hybrid ARQ Indicator Channel: PHICH）が割り当てられることを示す。
【００３３】
図１は、移動局装置１Ａ〜１Ｃから基地局装置３への無線通信（上りリンク）では、上りリンク参照信号（Uplink Reference Signal: UL RS）、物理上りリンク制御チャネル（Physical Uplink Control Channel: PUCCH）、物理上りリンク共用チャネル（Physical Uplink Shared Channel: PUSCH）、物理ランダムアクセスチャネル（Physical Random Access Channel: PRACH）が割り当てられることを示す。以下、移動局装置１Ａ〜１Ｃを移動局装置１という。
【００３４】
同期信号は、移動局装置１が下りリンクの周波数領域および時間領域の同期をとるために用いられる信号である。下りリンク参照信号は、移動局装置１が下りリンクの周波数領域および時間領域の同期をとるために用いられたり、移動局装置１が下りリンクの受信品質を測定するために用いられたり、移動局装置１がＰＤＳＣＨやＰＤＣＣＨの伝搬路補正を行なうために用いられる信号である。
【００３５】
ＰＢＣＨは、移動局装置１で共通に用いられる制御パラメータ（システム情報）（Broadcast Channel: BCH）を報知するために用いられる物理チャネルである。ＰＢＣＨは、４０ms間隔で送信される。４０ms間隔のタイミングは、移動局装置１においてブラインド検出（blind detection）される。
【００３６】
ＰＤＣＣＨは、下りリンクアサインメント（downlink assignment、またはdownlink grantとも称する。）や上りリンクグラント（uplink grant）などの下りリンク制御情報（Downlink Control Information: DCI）を送信するために用いられる物理チャネルである。下りリンクアサインメントは、ＰＤＳＣＨに対する変調方式および符号化率に関する情報（Modulation and Coding Scheme: MCS）、無線リソースの割り当てを示す情報などから構成される。上りリンクグラントは、ＰＵＳＣＨに対する変調方式および符号化率に関する情報、無線リソースの割り当てを示す情報などから構成される。
【００３７】
下りリンク制御情報には複数のフォーマットが用いられる。下りリンク制御情報のフォーマットをＤＣＩフォーマット（DCI format）と呼ぶ。下りリンクアサインメントのＤＣＩフォーマットは、基地局装置３がＰＤＳＣＨを１つの送信アンテナポートまたは送信ダイバーシチを用いて送信する場合に用いられるＤＣＩフォーマット１Ａ、基地局装置３がＰＤＳＣＨにＭＩＭＯ  ＳＭ（Multiple Input Multiple Output Spatial Multiplexing）を用いて複数の下りリンクデータを送信する場合に用いられるＤＣＩフォーマット２などが用意される。
【００３８】
ＭＩＭＯ  ＳＭとは、複数の送信アンテナポートおよび複数の受信アンテナポートにより実現される複数の空間次元のチャネルに対して複数の信号が多重されて送受信が行なわれる技術である。ここで、アンテナポートとは信号処理に用いられる論理的なアンテナのことを示す、１つのアンテナポートは１つの物理的なアンテナにより構成されてもよいし、複数の物理的なアンテナにより構成されてもよい。ＭＩＭＯ  ＳＭを用いた送信側では、複数の信号に対して適切な空間チャネルを形成するための処理（プリコーディング（precoding）と称す）が行われて、プリコーディングの処理が行なわれた複数の信号を複数の送信アンテナを用いて送信する。ＭＩＭＯ  ＳＭを用いた受信側では、複数の受信アンテナを用いて受信された複数の信号に対して空間次元のチャネルで多重された信号を適切に分離するための処理が行なわれる。
【００３９】
ＰＤＳＣＨは、ページング情報（Paging Channel: PCH）やＰＢＣＨで報知されない、つまりＢＣＨ以外のシステム情報や下りリンクデータ（Downlink Shared Channel: DL-SCH）を送信するために用いられる物理チャネルである。ＰＭＣＨは、ＭＢＭＳ（Multimedia Broadcast and Multicast Service）に関する情報（Multicast Channel: MCH）を送信するために用いられる物理チャネルである。
【００４０】
ＰＣＦＩＣＨは、ＰＤＣＣＨが配置される領域を示す情報を送信するために用いられる物理チャネルである。ＰＨＩＣＨは、基地局装置３が受信した上りリンクデータの復号の成否を示すＨＡＲＱインディケータを送信するために用いられる物理チャネルである。
【００４１】
基地局装置３がＰＵＳＣＨに含まれる全ての上りリンクデータの復号に成功した場合は、ＨＡＲＱインディケータはＡＣＫ（ACKnowledgement）を示し、基地局装置３がＰＵＳＣＨに含まれる少なくとも１つの上りリンクデータの復号に失敗した場合は、ＨＡＲＱインディケータはＮＡＣＫ（Negative ACKnowledgement）を示す。尚、同一のＰＵＳＣＨに含まれる複数の上りリンクデータ毎の復号の成否を示す複数のＨＡＲＱインディケータが、複数のＰＨＩＣＨで送信されるような構成でもよい。
【００４２】
上りリンク参照信号は、基地局装置３が上りリンクの時間領域の同期をとるために用いられたり、基地局装置３が上りリンクの受信品質を測定するために用いられたり、基地局装置３がＰＵＳＣＨやＰＵＣＣＨの伝搬路補正を行なうために用いられる信号である。上りリンク参照信号は、ＳＣ−ＦＤＭＡを想定して分割された無線リソースにおいて、ＣＡＺＡＣ（Constant Amplitude and Zero Auto-Correlation）系列を用いた符号拡散が行われる。
【００４３】
ＣＡＺＡＣ系列とは、時間領域および周波数領域において一定振幅かつ自己相関特性に優れた系列のことである。時間領域で一定振幅であることからＰＡＰＲ（Peak to Average Power Ratio）を低く抑えることが可能である。ＤＭＲＳには、時間領域において巡回遅延が適用される。この時間領域における巡回遅延のことをサイクリックシフトと称する。尚、サイクリックシフトは周波数領域においてＣＡＺＡＣ系列をサブキャリア単位で位相回転することに相当する。
【００４４】
上りリンク参照信号には、ＰＵＳＣＨまたはＰＵＣＣＨと時間多重されて送信されＰＵＳＣＨとＰＵＣＣＨの伝搬路補償に用いられるＤＭＲＳ（Demodulation Reference Signal）と、ＰＵＳＣＨおよびＰＵＣＣＨとは独立して送信される基地局装置３が上りリンクの伝搬路の状況を推定するのに用いられるＳＲＳ（Sounding Reference Signal）がある。ＤＭＲＳには、サイクリックシフトだけでなくＯＣＣ（Orthogonal Cover Code）も用いられる。
【００４５】
ＰＵＣＣＨは、下りリンクのチャネル品質を示すチャネル品質情報（Channel Quality Information）、上りリンクの無線リソースの割り当ての要求を示すスケジューリング要求（Scheduling Request: SR）、移動局装置１が受信した下りリンクデータの復号の成否を示すＡＣＫ／ＮＡＣＫなど、通信の制御に用いられる情報である上りリンク制御情報（Uplink Control Information: UCI）を送信するために用いられる物理チャネルである。
【００４６】
チャネル品質情報には、チャネル品質指標（Channel Quality Indicator: CQI）、ランク指標（Rank Indicator: RI）およびプレコーディングマトリックス指標（Predocing Matrix Indicator: PMI）がある。ＣＱＩは、下りリンクの物理チャネルの誤り訂正方式、誤り訂正の符号化率、データ変調多値数などの無線伝送パラメータを変更するためのチャネル品質を示す情報である。
【００４７】
ＲＩは、下りリンクにおいてＭＩＭＯ  ＳＭ方式にて複数の下りリンクデータを空間多重送信する場合に、移動局装置１が基地局装置３に要求する予め送信信号系列を前処理する信号系列の単位（ストリーム）の数（Ｒａｎｋ）を示す情報である。ＰＭＩは、ＭＩＭＯ  ＳＭ方式にて空間多重送信する場合に移動局装置１が基地局装置３に要求する予め送信信号系列を前処理するプレコーディングの情報である。
【００４８】
ＰＵＳＣＨは、上りリンクデータや上りリンク制御情報を送信するために用いられる物理チャネルである。ＰＲＡＣＨは、ランダムアクセスプリアンブルを送信するために使用される物理チャネルである。ＰＲＡＣＨは、移動局装置１が基地局装置３と時間領域の同期をとることを最大の目的とし、その他に、初期アクセス、ハンドオーバ、再接続要求、および上りリンクの無線リソースの割り当ての要求に用いられる。
【００４９】
以下、本発明の周波数帯域集約について説明する。
【００５０】
図２は、本発明の周波数帯域集約処理の一例を示す図である。図２において、横軸は周波数領域、縦軸は時間領域を示す。図２に示すように、下りリンクのサブフレームＤ１は、２０ＭＨｚの帯域幅を持った４つの下りリンクコンポーネントキャリア（DL CC-1; Downlink Component Carrier-1、DL CC-2、DL CC-3、DL CC-4）のサブフレームによって構成されている。
【００５１】
この下りリンクコンポーネントキャリアのサブフレーム各々には、斜線でハッチングがされた領域が示すＰＨＩＣＨとＰＣＦＩＣＨとＰＤＣＣＨが配置される領域と、ドットでハッチングがされた領域が示すＰＤＳＣＨが配置される領域がある。ＰＨＩＣＨとＰＣＦＩＣＨとＰＤＣＣＨは、周波数多重および／または時間多重される。ＰＨＩＣＨとＰＣＦＩＣＨとＰＤＣＣＨが周波数多重および／または時間多重される領域と、ＰＤＳＣＨが配置される領域は時間多重される。
【００５２】
上りリンクのサブフレームＵ１は、２０ＭＨｚの帯域幅を持った３つの上りリンクコンポーネントキャリア（UL CC-1; Uplink Component Carrier-1、UL CC-2、UL CC-3）によって構成されている。この上りリンクコンポーネントキャリアのサブフレーム各々には、灰色でハッチングがされた領域が示すＰＵＣＣＨが配置される領域と、横線でハッチングがされた領域が示すＰＵＳＣＨが配置される領域とが周波数多重される。
【００５３】
移動局装置１は、始めにいずれか１組の下りリンクコンポーネントキャリアと上りリンクコンポーネントキャリアを用いて基地局装置３との初期アクセスを行なう。基地局装置３は、移動局装置１が初期アクセスを行なった下りリンクコンポーネントキャリアのＰＤＳＣＨを用いて送信するＲＲＣシグナル（Radio Resource Control signal）で、移動局装置１に対して設定した下りリンクコンポーネントキャリアと上りリンクコンポーネントキャリア（以下、「設定されたコンポーネントキャリア（configured component carrier）」と称する。）を通知する。
【００５４】
基地局装置３は、設定された下りリンクコンポーネントキャリアの中から下りリンクの通信に用いる下りリンクコンポーネントキャリアおよび／または設定された上りリンクコンポーネントキャリアの中から上りリンクの通信に用いる上りリンクコンポーネントキャリアを示すアクティベーションコマンド（activation command）を、ＰＤＣＣＨまたはＭＡＣ（Medium Access Control）ＣＥ（Control Element）などを用いて通知する。
【００５５】
基地局装置３が移動局装置１に、アクティベーションコマンドでコンポーネントキャリアを通信に用いると通知することを、コンポーネントキャリアをアクティベートする（activate）と称する。基地局装置３が移動局装置１に、アクティベーションコマンドでコンポーネントキャリアを通信に用いないと通知することを、コンポーネントキャリアをデアクティベートする（deactivate）と称する。
【００５６】
基地局装置３は、設定された下りリンクコンポーネントキャリアと上りリンクコンポーネントキャリアの中から下りリンクプライマリーコンポーネントキャリア（downlink primary component carrier: DL PCC）と上りリンクコンポーネントキャリアuplink primary component carrier: UL PCC）を移動局装置１毎に設定し、この設定に関する情報を含むＲＲＣシグナルを移動局装置１に通知する。
【００５７】
プライマリーコンポーネントキャリアはデアクティベートされることがない。上りリンク制御情報は、上りリンクプライマリーコンポーネントキャリアのＰＵＣＣＨおよび／または設定された上りリンクコンポーネントキャリアのうちいずれか１つの上りリンクコンポーネントキャリアのＰＵＳＣＨで送信される。
【００５８】
以下、本発明の無線フレームの構成について説明する。
【００５９】
図３は、本発明の下りリンクの無線フレームの構成の一例を示す概略図である。図３において、横軸は時間領域、縦軸は周波数領域である。図３に示すように、下りリンクの無線フレームは、複数の下りリンクの物理リソースブロック（Physical Resource Block; PRB）ペア（例えば、図３の破線で囲まれた領域）から構成されている。この下りリンクの物理リソースブロックペアは、無線リソースの割り当てなどの単位であり、予め決められた幅の周波数帯（PRB帯域幅；１８０kHz）および時間帯（２個のスロット＝１個のサブフレーム；１ms）からなる。
【００６０】
１個の下りリンクの物理リソースブロックペアは、時間領域で連続する２個の下りリンクの物理リソースブロック（PRB帯域幅×スロット）から構成される。１個の下りリンクの物理リソースブロック（図３において、太線で囲まれている単位）は、周波数領域において１２個のサブキャリア（１５kHz）から構成され、時間領域において７個のＯＦＤＭ（Orthogonal Frequency Division Multiplexing）シンボル（７１μs）から構成される。
【００６１】
時間領域においては、７個のＯＦＤＭシンボル（７１μs）から構成されるスロット（０．５ms）、２個のスロットから構成されるサブフレーム（１ms）、１０個のサブフレームから構成される無線フレーム（１０ms）がある。サブフレームと同じ時間間隔である1msのことを、送信時間間隔（Transmit Time Interval: TTI）とも称する。周波数領域においては、下りリンクコンポーネントキャリアの帯域幅に応じて複数の下りリンクの物理リソースブロックが配置される。尚、１個のサブキャリアと１個のＯＦＤＭシンボルから構成されるユニットを下りリンクリソースエレメントと称する。
【００６２】
以下、下りリンクに割り当てられる物理チャネルの配置について説明する。下りリンクの各サブフレームには、ＰＤＣＣＨ、ＰＣＦＩＣＨ、ＰＨＩＣＨ、ＰＤＳＣＨ、および下りリンク参照信号などが配置される。ＰＤＣＣＨはサブフレームの先頭のＯＦＤＭシンボルから（図３において、左斜線でハッチングがされた領域）配置される。ＰＤＣＣＨが配置されるＯＦＤＭシンボルの数はサブフレーム毎に異なり、ＰＤＣＣＨが配置されるＯＦＤＭシンボルの数を示す情報はＰＣＦＩＣＨで報知される。各サブフレームでは、複数のＰＤＣＣＨが周波数多重および時間多重される。
【００６３】
ＰＣＦＩＣＨはサブフレームの先頭のＯＦＤＭシンボルに配置され、ＰＤＣＣＨと周波数多重される。ＰＨＩＣＨは、ＰＤＣＣＨと同一のＯＦＤＭシンボル内で周波数多重される（図３において、格子状の線でハッチングがされた領域）。ＰＨＩＣＨは、サブフレームの先頭のＯＦＤＭシンボルのみに配置されてもよいし、ＰＤＣＣＨが配置される複数のＯＦＤＭシンボルに分散して配置されてもよい。各サブフレームでは、複数のＰＨＩＣＨが周波数多重および符号多重される。
【００６４】
移動局装置１は、ＰＵＳＣＨを送信してから所定の時間後（例えば、４ms後、４サブフレーム後、４ＴＴＩ後）の下りリンクのサブフレームのＰＨＩＣＨで、このＰＵＳＣＨに対するＨＡＲＱフィードバックを受信する。
【００６５】
ＰＤＳＣＨは、サブフレーム内のＰＤＣＣＨおよびＰＣＦＩＣＨおよびＰＨＩＣＨが配置されるＯＦＤＭシンボル以外のＯＦＤＭシンボル（図３において、ハッチングがされない領域）に配置される。ＰＤＳＣＨの無線リソースの割り宛ては、下りリンクアサインメントを用いて移動局装置１に示される。ＰＤＳＣＨの無線リソースは、時間領域において、このＰＤＳＣＨの割り当てを示す下りリンクアサインメントを含むＰＤＣＣＨと同一の下りリンクのサブフレームに配置される。
【００６６】
ＰＤＳＣＨと、このＰＤＳＣＨに対するＰＤＣＣＨは同じまたは異なる下りリンクコンポーネントキャリアに配置される。各下りリンクコンポーネントキャリアのサブフレームでは、複数のＰＤＳＣＨが周波数多重および空間多重される。下りリンク参照信号については、説明の簡略化のため図３において図示を省略するが、下りリンク参照信号は周波数領域と時間領域において分散して配置される。
【００６７】
図４は、本発明の上りリンクの無線フレームの構成の一例を示す概略図である。図３において、横軸は時間領域、縦軸は周波数領域である。図４に示すように、上りリンクの無線フレームは、複数の上りリンクの物理リソースブロックペア（例えば、図４の破線で囲まれた領域）から構成されている。この上りリンクの物理リソースブロックペアは、無線リソースの割り当てなどの単位であり、予め決められた幅の周波数帯（PRB帯域幅；１８０kHz）および時間帯（２個のスロット＝１個のサブフレーム；１ms）からなる。
【００６８】
１個の上りリンクの物理リソースブロックペアは、時間領域で連続する２個の上りリンクの物理リソースブロック（PRB帯域幅×スロット）から構成される。１個の上りリンクの物理リソースブロック（図３において、太線で囲まれている単位）は、周波数領域において１２個のサブキャリアから構成され、時間領域において７個のＳＣ−ＦＤＭＡシンボル（７１μs）から構成される。
【００６９】
時間領域においては、７個のＳＣ−ＦＤＭＡ（Single-Carrier Frequency Division Multiple Access）シンボル（７１μs）から構成されるスロット（０．５ms）、２個のスロットから構成されるサブフレーム（１ms）、１０個のサブフレームから構成される無線フレーム（１０ms）がある。サブフレームと同じ時間間隔である1msのことを、送信時間間隔（Transmit Time Interval: TTI）とも称する。周波数領域においては、上りリンクコンポーネントキャリアの帯域幅に応じて複数の上りリンクの物理リソースブロックが配置される。尚、１個のサブキャリアと１個のＳＣ−ＦＤＭＡシンボルから構成されるユニットを上りリンクリソースエレメントと称する。
【００７０】
以下、上りリンクの無線フレーム内に割り当てられる物理チャネルについて説明する。上りリンクの各サブフレームには、ＰＵＣＣＨ、ＰＵＳＣＨ、ＰＲＡＣＨおよび上りリンク参照信号などが配置される。ＰＵＣＣＨは、上りリンクの帯域の両端の上りリンクの物理リソースブロック（左斜線でハッチングがされた領域）に配置される。各サブフレームでは、複数のＰＵＣＣＨが周波数多重および符号多重される。
【００７１】
ＰＵＳＣＨは、ＰＵＣＣＨが配置される上りリンクの物理リソースブロック以外の上りリンクの物理リソースブロックペア（ハッチングがされない領域）に配置される。ＰＵＳＣＨの無線リソースは、上りリンクグラントを用いて割り当てられ、この上りリンクグラントを含むＰＤＣＣＨが配置された下りリンクのサブフレームから所定の時間後（例えば、４ms後、４サブフレーム後、４ＴＴＩ後）の上りリンクのサブフレームに配置される。各サブフレームでは、複数のＰＵＳＣＨが周波数多重および空間多重される。
【００７２】
ＰＲＡＣＨが配置されるサブフレームおよび上りリンクの物理リソースブロックを示す情報は、基地局装置によって報知される。上りリンク参照信号は、ＰＵＣＣＨやＰＵＳＣＨと時間多重される。例えば、ＰＵＳＣＨと時間多重されるＤＭＲＳは、サブフレーム内の４番目と１１番目のＳＣ−ＦＤＭＡシンボルに配置される。
【００７３】
上りリンク参照信号は、ＰＵＳＣＨとＰＵＣＣＨと時間多重されて送信される。ＰＵＳＣＨと上りリンク参照信号が時間多重される場合は、上りリンク参照信号は周波数領域においてＰＵＳＣＨが割り当てられたのと同じ周波数帯域に配置され、時間領域において４番目と１１番目のＳＣ−ＦＤＭＡシンボルに配置される。
【００７４】
以下、本発明のＰＵＳＣＨ内の上りリンクデータと上りリンク制御情報の配置について説明する。
【００７５】
図５は、本発明のＰＵＳＣＨで上りリンクデータと上りリンク制御情報を同時に送信する方法を説明する図である。図５において、横軸は時間領域であり、縦軸はマッピングする変調シンボル系列の並びを表しており、周波数軸に対応したものではなく、各ＳＣ−ＦＤＭＡシンボルごとにＤＦＴ処理され、周波数軸上で割り当てられたリソースにマッピングされる。
【００７６】
具体的に第２のＳＣ−ＦＤＭＡシンボルに着目すると、ＡＣＫ／ＮＡＣＫ、上りリンクデータおよびＣＱＩ／ＰＭＩの変調シンボルは時間多重され、ＤＦＴ処理によって周波数領域の信号に変換された後に、上りリンクグラントで割り当てられた周波数帯域に配置されることを示している。
【００７７】
ＡＣＫ／ＮＡＣＫの変調シンボルは、３番目と５番目と１０番目と１２番目のＳＣ−ＦＤＭＡシンボルに配置される。ＲＩの変調シンボルは、２番目と６番目と９番目と１３番目のＳＣ−ＦＤＭＡシンボルに配置される。ＣＱＩ／ＰＭＩと上りリンクデータは、まずＳＣ−ＦＤＭＡシンボルの番号の小さいほうから大きいほうに向かって順番に変調シンボルが配置されていく。尚、上りリンクデータ、ＡＣＫ／ＮＡＣＫ、ＣＱＩ／ＰＭＩおよびＲＩは個別に同じまたは異なる符号化をされ、共通の変調方式によって変調され、変調シンボルを図５に示すように並び替えられる。
【００７８】
尚、符号化されたＡＣＫ／ＮＡＣＫや上りリンクデータなどのビットを変調多値数のビット数に分割したものを変調シンボルとみなして図５のように並び替えてから変調してもよい。
【００７９】
以下、本発明のＡＣＫ／ＮＡＣＫのビット数を算出する方法について説明する。
【００８０】
本発明では、ＰＵＳＣＨでＡＣＫ／ＮＡＣＫを送信する際に用いられるＡＣＫ／ＮＡＣＫのビット数は、基地局装置３に移動局装置１が設定された下りリンクコンポーネントキャリアの数と、１つのＰＤＳＣＨに空間多重できる下りリンクデータの最大数を乗算した値である。３つの下りリンクコンポーネントキャリアを設定され、１つのＰＤＳＣＨに２つまでの下りリンクデータを空間多重することができる場合は、移動局装置１は６ビットのＡＣＫ／ＮＡＣＫを生成する。つまり、下りリンクコンポーネントキャリアで受信される下りリンクデータそれぞれに対してＡＣＫ／ＮＡＣＫが１ビットずつ生成される。
【００８１】
尚、ＡＣＫ／ＮＡＣＫのビット数を、アクティベートされた下りリンクコンポーネントキャリアの数と、１つのＰＤＳＣＨに空間多重できる下りリンクデータの最大数を乗算した値としてもよい。これにより、下りリンクデータが送信されることのないデアクティベートされた下りリンクコンポーネントキャリアに対するＡＣＫ／ＮＡＣＫのビットおよびＡＣＫ／ＮＡＣＫの変調シンボル数を削減することができる。
【００８２】
尚、設定された下りリンクコンポーネントキャリアの一部でしかＰＤＳＣＨを受信しなかった場合は、ＰＤＳＣＨを受信しなかった設定された下りリンクコンポーネントに対するＡＣＫ／ＮＡＣＫのビットを予め決められた値にセットする。また、設定された下りリンクコンポーネントキャリアで受信したＰＤＳＣＨで１つの下りリンクデータしか受信しなかった場合は、この設定された下りリンクコンポーネントキャリアに対しては１ビットのＡＣＫ／ＮＡＣＫのみ生成し、もう１ビットのＡＣＫ／ＮＡＣＫは予め決められた値にセットする。
【００８３】
例えば、移動局装置１が３つの設定された下りリンクコンポーネントキャリアのうち、第１の設定された下りリンクコンポーネントキャリアで受信した２つの下りリンクデータの復号に成功し、第２の設定された下りリンクコンポーネントキャリアで下りリンクデータの受信を行なわず、第３の設定された下りリンクコンポーネントキャリアで受信した１つの下りリンクデータの復号に失敗した場合は、移動局装置１は「１１ｙｙ０ｙ」の６ビットのＡＣＫ／ＮＡＣＫの系列を生成する。
【００８４】
尚、ＡＣＫの場合はビットの値を１にセットし、ＮＡＣＫの場合はビットの値を０にセットする。また下りリンクデータを受信しなかった場合はビットの値をｙにセットする（ｙは０または１の予め決められた値）。このように移動局装置１が下りリンクデータを受信しなかった場合にＡＣＫ／ＮＡＣＫのビットを予め決められた値にセットすることで、基地局装置３は移動局装置１に下りリンクデータを送信しなかった下りリンクコンポーネントキャリアに対するＡＣＫ／ＮＡＣＫが予め決められた値にセットされていることがわかるため、残りの移動局装置１に送信した下りリンクデータに対するＡＣＫ／ＮＡＣＫの受信精度が向上する。
【００８５】
尚、移動局装置１がＡＣＫ／ＮＡＣＫのビットを並べる順番を決めることで、基地局装置３はＡＣＫ／ＮＡＣＫのビットが、どの下りリンクコンポーネントキャリアで送信した下りリンクデータに対するものであるかを正しく認識することができる。
【００８６】
例えば、基地局装置３は、移動局装置１に下りリンクコンポーネントキャリアを設定する際に下りリンクコンポーネントキャリアの番号を設定し、移動局装置１に通知する。移動局装置１は、基地局装置３に設定された下りリンクコンポーネントキャリアの番号の小さいほうから順番にＡＣＫ／ＮＡＣＫにビットを並べる。
【００８７】
または、移動局装置１は下りリンクプライマリーコンポーネントキャリアで受信した下りリンクデータに対するＡＣＫ／ＮＡＣＫを最初に並べ、以降に下りリンクプライマリーコンポーネントキャリア以外で受信した下りリンクデータに対するＡＣＫ／ＮＡＣＫを並べてもよい。
【００８８】
以下、本発明のＡＣＫ／ＮＡＣＫの符号化方法について説明する。
【００８９】
まずＡＣＫ／ＮＡＣＫは、リードマラー（Reed-Muller）符号などを用いた通信路符号化が行なわれ、ＡＣＫ／ＮＡＣＫの符号化ビットが生成される。次に、生成された符号化ビット２つおきに予め決められた値の符号化ビットを挿入する。挿入される予め決められた値の符号化ビットの数は、ＰＵＳＣＨの変調方式によって決める。
【００９０】
ＰＵＳＣＨが１６ＱＡＭ（Quadrature Amplitude Modulation）で変調される場合は、生成された符号化ビット２つおきに予め決められた値の符号化ビットを２つずつ挿入する。ＰＵＳＣＨが６４ＱＡＭで変調される場合は、生成された符号化ビット２つおきに予め決められた値の符号化ビットを４つずつ挿入する。
【００９１】
これにより、ＰＵＳＣＨの変調方式にかかわらずＡＣＫ／ＮＡＣＫの変調シンボルには、２ビットの情報量しか含まれなくなり、ＡＣＫ／ＮＡＣＫの変調シンボルの信号点は４つに限定される。また、この４つの信号点は、１６ＱＡＭや６４ＱＡＭの振幅が最大である４つの信号点となるように符号化ビットと信号点を対応付ける。
【００９２】
例えば、ＰＵＳＣＨが１６ＱＡＭで変調される場合は、ＡＣＫ／ＮＡＣＫの符号化ビットの系列が「００１００１１１」の場合は、この系列に予め決められた値（ｘ）の符号化ビットが挿入され「００ｘｘ１０ｘｘ０１ｘｘ１１ｘｘ」（xは０または１の予め定められた値）となる。また、「００ｘｘ」、「０１ｘｘ」、「１０ｘｘ」、「１１ｘｘ」を１６ＱＡＭの振幅が最大である４つの信号点と対応付けておく。これにより、移動局装置１においてＡＣＫ／ＮＡＣＫ符号化ビットを１６ＱＡＭや６４ＱＡＭで変調しても、基地局装置３において、ＡＣＫ／ＮＡＣＫの変調シンボルをＱＰＳＫとして扱うことができる。以下、この方法を仮想ＱＰＳＫと称する。
【００９３】
以下、本発明のＡＣＫ／ＮＡＣＫの変調シンボル数を算出する方法について説明する。
【００９４】
本発明では、ＰＵＳＣＨでＡＣＫ／ＮＡＣＫを送信する際に用いられるＡＣＫ／ＮＡＣＫの変調シンボルの数は、ＰＵＳＣＨで送信するＡＣＫ／ＮＡＣＫのビット数、上りリンクデータの初期送信時の符号化率、基地局装置３によって設定されたオフセットなどから求まる。式（１）は、ＰＵＳＣＨでＡＣＫ／ＮＡＣＫを送信する際にもちいられるＡＣＫ／ＮＡＣＫの変調シンボルの数を算出するための式である。
【００９５】
【数１】
2011259125.tif 000003
【００９６】
Ｏは、本発明の移動局装置１が生成したＡＣＫ／ＮＡＣＫのビット系列のビット数とする。つまり、Ｏは、基地局装置３に移動局装置１が設定された下りリンクコンポーネントキャリアの数と、１つのＰＤＳＣＨに空間多重できる下りリンクデータの最大数を乗算した値である。これにより、実際にスケジューリングされた下りリンクデータの数などに応じてＯをサブフレーム毎に計算する必要がないため、移動局装置１の構成を簡単にすることができる。
【００９７】
尚、Ｏはアクティベートされた下りリンクコンポーネントキャリアの数と１つのＰＤＳＣＨに空間多重できる下りリンクデータの最大数を乗算した値としてもよいし、移動局装置１が受信した下りリンクデータの数としてもよい。
【００９８】
これにより、ＡＣＫ／ＮＡＣＫの変調シンボル数は少なくなりＡＣＫ／ＮＡＣＫの受信精度が悪くなるが、基地局装置３は移動局装置１に下りリンクデータを送信しなかった下りリンクコンポーネントキャリアに対するＡＣＫ／ＮＡＣＫが予め決められた値にセットされていることがわかるため、残りの移動局装置１に送信した下りリンクデータに対するＡＣＫ／ＮＡＣＫの受信精度が向上するため、ＡＣＫ／ＮＡＣＫの受信精度は全ての設定された下りリンクコンポーネントキャリアで下りリンクデータを送信した場合と比較して、同程度に抑えられる。しかし、Ｏをサブフレーム毎に計算する必要があるため、移動局装置１の構成が複雑になる。
【００９９】
図５に示したように、ＡＣＫ／ＮＡＣＫの変調シンボルは４つのＳＣ−ＦＤＭＡシンボルのみに配置されるため、ＡＣＫ／ＮＡＣＫの変調シンボルを配置できる最大の数は、ＰＵＳＣＨに割り当てられた周波数帯域に含まれるサブキャリアの数の４倍である。Ｑ”がＡＣＫ／ＮＡＣＫの符号化ビットを送信するのに必要な変調シンボル数よりも多い場合は、ＡＣＫ／ＮＡＣＫの変調シンボル（符号化ビット）の先頭部分から繰り返し配置していく。
【０１００】
本発明では１つの変調シンボルで２ビットしか送信することができないため、出力が３２ビットのリードマラー符号をＡＣＫ／ＮＡＣＫの符号化に用いた場合、ＡＣＫ／ＮＡＣＫの符号化ビット全てを送信するためには最低１６の変調シンボルが必要である。しかし、（１）式で算出したＱ”が１６よりも小さい場合は、ＡＣＫ／ＮＡＣＫの符号化ビット全てを送信することができず、基地局装置３は不完全な符号化ビットの系列からＡＣＫ／ＮＡＣＫを推定しなくてはいけなくなり、ＡＣＫ／ＮＡＣＫの推定精度が悪くなるという問題がある。
【０１０１】
そこで、本発明では、ＰＵＳＣＨで送信されるＡＣＫ／ＮＡＣＫに用いられる変調シンボル数に下限を設ける。Ｑ”が下限よりも小さい場合は、移動局装置１はＰＵＳＣＨで送信するＡＣＫ／ＮＡＣＫの変調シンボル数を下限の値とする。尚、下限の値は符号化されたＡＣＫ／ＮＡＣＫのビット数を１つの変調シンボルで送信できるビット数で割った値にするのが好ましいが、それより大きくても小さくてもよい。
【０１０２】
尚、ＰＵＳＣＨを１つの送信アンテナポートで送信するか、複数の送信アンテナポートによるＭＩＭＯ  ＳＭを用いて送信するかに応じて、ＡＣＫ／ＮＡＣＫを通信路符号化した後に仮想ＱＰＳＫを行うか否かを切り替えてもよい。
【０１０３】
ＰＵＳＣＨがＭＩＭＯ  ＳＭによって送信される場合は、レイヤ毎に複製されたＡＣＫ／ＮＡＣＫの系列が配置される。一方、空間多重される上りリンクデータ毎に異なる変調方式が用いられるため、複製されたＡＣＫ／ＮＡＣＫの系列毎に異なる変調方式が適用されるが、仮想ＱＰＳＫを用いることでＡＣＫ／ＮＡＣＫは上りリンクデータそれぞれの変調方式が異なっても、同じ仮想ＱＰＳＫ変調が適用される。ＰＵＳＣＨが１つの送信アンテナポートで送信される場合は、１つの上りリンクデータに対して１つの変調方式が適用されるため、仮想ＱＰＳＫを適用しなくてもよい。
【０１０４】
一方、ＰＵＳＣＨがＭＩＭＯ  ＳＭによって送信されるような場合は、通信路の状況が良好なため基地局装置３は移動局装置１に高い符号化率で上りリンクデータを送信するよう上りリンクグラントで指示する。上りリンクデータを高い符号化率で送信することでＡＣＫ／ＮＡＣＫの変調シンボルの数は少なくなる。仮想ＱＰＳＫを適用することで１つの変調シンボルで送信することができる符号化ビットの数が少なくなるため、通信路の状況が良好でありＭＩＭＯ  ＳＭを適用するような場合に仮想ＱＰＳＫを適用するとＡＣＫ／ＮＡＣＫの符号化ビットの系列の一部しか送信することができず、基地局装置３でＡＣＫ／ＮＡＣＫを正確に復号することができない。
【０１０５】
そこで、ＭＩＭＯ  ＳＭを用いてＰＵＳＣＨを送信する際にはＡＣＫ／ＮＡＣＫに仮想ＱＰＳＫを適用せず、１つの送信アンテナポートを用いてＰＵＳＣＨを送信する際にはＡＣＫ／ＮＡＣＫに仮想ＱＰＳＫを適用するようにしてもよい。
【０１０６】
以下、本発明の装置の動作について説明する。
【０１０７】
図６は、本発明の移動局装置１の動作の一例を示すフローチャート図である。移動局装置１は、基地局装置３に設定された複数の下りリンクコンポーネントキャリアで１つまたは複数のＰＤＳＣＨを受信する（ステップＳ１００）。移動局装置１は、ＰＤＳＣＨに含まれる１つまたは複数の下りリンクデータの復号の成否に応じてＡＣＫ／ＮＡＣＫを生成する（ステップＳ１０１）。尚、下りリンクコンポーネントキャリアでＰＤＳＣＨを受信しなかった場合や、１つのＰＤＳＣＨで１つの下りリンクデータしか受信しなかった場合は、受信しなかった下りリンクデータに対するＡＣＫ／ＮＡＣＫを予め定められた値ｙにセットする。
【０１０８】
移動局装置１は、基地局装置３に設定された番号が小さい下りリンクコンポーネントキャリアに対応する下りリンクデータのＡＣＫ／ＮＡＣＫのビットから順番に並べる（ステップＳ１０２）。移動局装置１は、ＰＵＳＣＨで送信するＡＣＫ／ＮＡＣＫに用いるＡＣＫ／ＮＡＣＫの変調シンボルの数をＡＣＫ／ＮＡＣＫのビット数などから算出する（ステップＳ１０３）。尚、算出した変調シンボルの数が上限を超えている場合は、ＡＣＫ／ＮＡＣＫの変調シンボル数を上限の値にセットし、算出した変調シンボルの数が下限を下回っている場合は、ＡＣＫ／ＮＡＣＫの変調シンボル数を下限の値にセットする。
【０１０９】
移動局装置１は、ステップＳ１０２で並び替えたＡＣＫ／ＮＡＣＫのビットに通信路符号化を行ない、通信路符号化を行なった符号化ビットの系列に、２ビットおきに予め定められた値ｘの符号化ビットを挿入する（ステップＳ１０４）。尚、予め定められた値ｘの符号化ビットをいくつ挿入するかは、ＰＵＳＣＨの変調方式によって変わる。
【０１１０】
移動局装置１は、符号化した上りリンクデータとＡＣＫ／ＮＡＣＫを同じ変調方式で変調し、図５のように並び替え、ＳＣ−ＦＤＭＡシンボルを生成し、基地局装置３へ送信する（ステップＳ１０５）。ステップＳ１０５の後、移動局装置１はＰＵＳＣＨでのＡＣＫ／ＮＡＣＫの送信に関する処理を終了する。
【０１１１】
以下、本発明の装置構成について説明する。
【０１１２】
図７は、本発明の移動局装置１の構成を示す概略ブロック図である。図示するように、移動局装置１は、上位層処理部１０１、制御部１０３、受信部１０５、送信部１０７および、送受信アンテナ１０９を含んで構成される。上位層処理部１０１は、無線リソース制御部１０１１、ＨＡＲＱ制御部１０１３とＡＣＫ／ＮＡＣＫ制御部１０１５を含んで構成される。受信部１０５は、復号化部１０５１、復調部１０５３、多重分離部１０５５、無線受信部１０５７とチャネル測定部１０５９を含んで構成される。送信部１０７は、符号化部１０７１、変調部１０７３、多重部１０７５、無線送信部１０７７と上りリンク参照信号生成部１０７９を含んで構成される。
【０１１３】
上位層処理部１０１は、ユーザの操作等により生成された上りリンクデータを、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１はＰＤＣＣＨで受信された下りリンク制御情報などに基づき、受信部１０５、および送信部１０７の制御を行なうために制御情報を生成し、制御部１０３に出力する。
【０１１４】
上位層処理部１０１が備える無線リソース制御部１０１１は、自装置の各種設定情報の管理を行なう。例えば、無線リソース制御部１０１１は、Ｃ−ＲＮＴＩなどのＲＮＴＩや設定されたコンポーネントキャリアの管理を行なう。また、無線リソース制御部１０１１は、上りリンクの各チャネルに配置される情報を生成し、送信部１０７に出力する。
【０１１５】
上位層処理部１０１が備えるＨＡＲＱ制御部１０１３は、下りリンクデータのＨＡＲＱの制御を行なう。ＨＡＲＱ制御部１０１３は、受信した下りリンクデータの復号に成功した場合は、ＡＣＫ／ＮＡＣＫ制御部にＡＣＫを基地局装置３に送信するよう指示し、受信した下りリンクデータの復号に失敗した場合は、ＡＣＫ／ＮＡＣＫ制御部にＮＡＣＫを基地局装置３に送信するよう指示する。
【０１１６】
ＨＡＲＱ制御部１０１３は、下りリンクデータの復号に失敗した場合は下りリンクデータをＨＡＲＱバッファに保持しておき、基地局装置３によって再送信された下りリンクデータを受信した際に、再送信された下りリンクデータとＨＡＲＱバッファに保持されている下りリンクデータを合成して復号処理を行う。
【０１１７】
上位層処理部１０１が備えるＡＣＫ／ＮＡＣＫ制御部１０１５は、ＨＡＲＱ制御部１０１３の指示に従ってＡＣＫまたはＮＡＣＫを生成し、ＡＣＫ／ＮＡＣＫのビットを並べ替える。ＡＣＫ／ＮＡＣＫ制御部１０１５は、ＡＣＫ／ＮＡＣＫのビットが対応する下りリンクデータを受信しなかった場合は、ＡＣＫ／ＮＡＣＫのビットの値を予め決められた値ｙにセットする。
【０１１８】
ＡＣＫ／ＮＡＣＫ制御部１０１５は、ＰＵＳＣＨでＡＣＫ／ＮＡＣＫを送信する際のＡＣＫ／ＮＡＣＫの変調シンボルの数を計算し、計算した変調シンボル数のＡＣＫ／ＮＡＣＫ変調シンボルを生成し、ＰＵＳＣＨの変調方式に応じてＡＣＫ／ＮＡＣＫの符号化ビットに予め決められた値ｘの符号化ビットを挿入し、ＡＣＫ／ＮＡＣＫと上りリンクデータをともにＰＵＳＣＨで送信するよう、送信部１０７の制御を行なうために制御情報を生成し、制御部１０３に出力する。
【０１１９】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。受信部１０５は、制御部１０３から入力された制御信号に従って、送受信アンテナ１０９を介して基地局装置３から受信した受信信号を、分離、復調、復号し、復号した情報を上位層処理部１０１に出力する。
【０１２０】
無線受信部１０５７は、送受信アンテナ１０９を介して受信した下りリンクの信号を、中間周波数に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行い、周波数領域の信号を抽出する。
【０１２１】
多重分離部１０５５は、抽出した信号をＰＨＩＣＨ、ＰＤＣＣＨ、ＰＤＳＣＨ、および下りリンク参照信号に、それぞれ分離する。尚、この分離は、下りリンクアサインメントで通知された無線リソースの割り当て情報などに基づいて行われる。また、多重分離部１０５５は、チャネル測定部１０５９から入力された伝搬路の推定値から、ＰＨＩＣＨとＰＤＣＣＨとＰＤＳＣＨの伝搬路の補償を行なう。また、多重分離部１０５５は、分離した下りリンク参照信号をチャネル測定部１０５９に出力する。
【０１２２】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨに対して、ＱＰＳＫ変調方式の復調を行ない、復号化部１０５１へ出力する。復号化部１０５１は、ＰＤＣＣＨのブラインドデコーディングを試み、ブラインドデコーディングに成功した場合、復号した下りリンク制御情報と下りリンク制御情報に含まれていたＲＮＴＩを上位層処理部１０１に出力する。
【０１２３】
復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクアサインメントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【０１２４】
チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。
【０１２５】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１０９を介して基地局装置３に送信する。符号化部１０７１は、上位層処理部１０１から入力された上りリンク制御情報を畳込み符号化、ブロック符号化等の符号化を行い、上りリンクデータを上りリンクグラントで通知された符号化率に関する情報に基づいてターボ符号化を行なう。
【０１２６】
符号化部１０７１は、ＡＣＫ／ＮＡＣＫを上りリンクデータとともにＰＵＳＣＨで送信する場合は、制御部１０３から入力された制御信号に従って、ＡＣＫ／ＮＡＣＫと上りリンクデータの符号化ビットを図５のように並べ替える。
【０１２７】
変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、上りリンクグラントで通知された空間多重される系列の数と、この系列に対して行なうプリコーディングを指示する情報に基づいて、ＭＩＭＯ  ＳＭを用いることにより同一のＰＵＳＣＨで送信される複数の上りリンクデータの変調シンボルの系列を、同一のＰＵＳＣＨで送信される上りリンクデータの数よりも多い複数の系列にマッピングし、この系列に対してプレコーディング（precoding）を行なう。
【０１２８】
上りリンク参照信号生成部１０７９は、基地局装置３を識別するための物理セル識別子（physical cell identity: PCI、Cell IDなどと称する。）、上りリンク参照信号を配置する帯域幅、上りリンクグラントで通知されたサイクリックシフトなどを基に予め定められた規則で求まる、基地局装置３が既知の系列を生成する。多重部１０７５は、制御部１０３から入力された制御信号に従って、ＰＵＳＣＨの変調シンボルを並列に並び替えてから離散フーリエ変換（Discrete Fourier Transform: DFT）し、ＰＵＣＣＨとＰＵＳＣＨの信号と生成した上りリンク参照信号を送信アンテナポート毎に多重する。
【０１２９】
無線送信部１０７７は、多重された信号を逆高速フーリエ変換（Inverse Fast Fourier Transform: IFFT）して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【０１３０】
図８は、本発明の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１、ＨＡＲＱ制御部３０１３とＡＣＫ／ＮＡＣＫ検出部３０１５を含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０１３１】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０１３２】
上位層処理部３０１が備える無線リソース制御部３０１１は、下りリンクのＰＤＳＣＨに配置される下りリンクデータ（トランスポートブロック）、ＲＲＣシグナル、ＭＡＣ  ＣＥ（Control Element）を生成し、又は上位ノードから取得し、ＨＡＲＱ制御部３０１３に出力する。また、無線リソース制御部３０１１は、移動局装置１各々の各種設定情報の管理をする。例えば、無線リソース制御部３０１１は、移動局装置１にＣ−ＲＮＴＩを割り当てるなどＲＮＴＩの管理や移動局装置１に設定したコンポーネントキャリアの管理などを行なう。
【０１３３】
上位層処理部３０１が備えるＨＡＲＱ部３０１３は、下りリンクデータのＨＡＲＱの制御を行なう。ＨＡＲＱ制御部３０１３は、無線リソース制御部３０１１から取得した下りリンクデータをＨＡＲＱバッファに保持しておき、ＨＡＲＱバッファに保持している下りリンクデータに対して移動局装置１からＮＡＣＫを受信した場合には、保持している下りリンクデータを送信部３０７に出力し、再送信するよう制御を行なうために制御情報を生成し、制御部３０３に出力する。
【０１３４】
上位層処理部が備えるＡＣＫ／ＮＡＣＫ検出部３０１５は、受信部３０５のＡＣＫ／ＮＡＣＫの復号処理の制御を行なうために制御情報を生成し、制御部３０３に出力する。ＡＣＫ／ＮＡＣＫ検出部３０１５は、移動局装置１に設定した下りリンクコンポーネントキャリアの数などから移動局装置１が送信したＡＣＫ／ＮＡＣＫのビット系列のビット数、およびＰＵＳＣＨに配置されるＡＣＫ／ＮＡＣＫの変調シンボル数を計算する。
【０１３５】
ＡＣＫ／ＮＡＣＫ検出部は、算出したＡＣＫ／ＮＡＣＫの変調シンボル数にもとづいて、ＰＵＳＣＨに含まれるＡＣＫ／ＮＡＣＫの変調シンボルを分離するよう、制御部３０３を介して受信部３０５を制御する。ＡＣＫ／ＮＡＣＫ検出部は、移動局装置１に下りリンクデータを送信しなかった下りリンクコンポーネントキャリアに対するＡＣＫ／ＮＡＣＫが予め決められた値であるｙにセットされていることを、制御部３０３を介して受信部３０５に通知する。
【０１３６】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０１３７】
受信部３０５は、制御部３０３から入力された制御信号に従って、送受信アンテナ３０９を介して移動局装置１から受信した受信信号を分離、復調、復号し、復号した情報を上位層処理部３０１に出力する。無線受信部３０５７は、送受信アンテナ３０９を介して受信された上りリンクの信号を、中間周波数に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１３８】
無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行い、周波数領域の信号を抽出し多重分離部３０５５に出力する。
【０１３９】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各移動局装置１に通知した上りリンクグラントに含まれる無線リソースの割り当て情報に基づいて行なわれる。多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０１４０】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が移動局装置１各々に上りリンクグラントで予め通知した変調方式を用いて受信信号の復調を行なう。復調部３０５３は、制御部３０３から入力された制御信号に従って、ＰＵＳＣＨに含まれる上りリンクデータの変調シンボルとＡＣＫ／ＮＡＣＫの変調シンボルを分離する。
【０１４１】
復調部３０５３は、移動局装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０１４２】
復号化部３０５１は、復調された上りリンク制御情報と上りリンクデータの符号化ビットを、予め定められた符号化方式の、予め定められた、又は自装置が移動局装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【０１４３】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＰＤＳＣＨ、および下りリンク参照信号を多重して、送受信アンテナ３０９を介して移動局装置１に信号を送信する。
【０１４４】
符号化部３０７１は、上位層処理部３０１から入力されたＨＡＲＱインディケータ、下りリンク制御情報、および下りリンクデータを、ブロック符号化、畳込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０１４５】
下りリンク参照信号生成部３０７９は、基地局装置３を識別するための物理セル識別子（ＰＣＩ）などを基に予め定められた規則で求まる、移動局装置１が既知の系列を下りリンク参照信号として生成する。多重部３０７５は、変調された各チャネルの変調シンボルと生成された下りリンク参照信号を多重する。
【０１４６】
無線送信部３０７７は、多重された変調シンボルなどを逆高速フーリエ変換（Inverse Fast Fourier Transform: IFFT）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【０１４７】
このように、本発明によれば、複数のコンポーネントキャリアを用いて移動局装置１と基地局装置３が無線通信を行なう無線通信システムにおいて、移動局装置１は、複数の下りリンクコンポーネントキャリアで受信した複数の下りリンクデータに対する複数のＡＣＫ／ＮＡＣＫ（応答情報）に通信路符号化（第１の符号化）を行い、通信路符号化をしたＡＣＫ／ＮＡＣＫの変調シンボルが４つの信号点のみに配置されるように符号化ビットを挿入し、ＡＣＫ／ＮＡＣＫと上りリンクデータを同じ変調方式を用いて４以上の信号点を持つ変調シンボルに変調し、同じＰＵＳＣＨで送信する。
【０１４８】
また、本発明の移動局装置１は、ＰＵＳＣＨで１つの上りリンクデータのみ送信するか、複数の上りリンクデータを空間多重して送信するかに応じて、ＡＣＫ／ＮＡＣＫに仮想ＱＰＳＫの処理を行なうか否かを決定する。
【０１４９】
また、本発明によれば、複数のコンポーネントキャリアを用いて移動局装置１と基地局装置３が無線通信を行なう無線通信システムにおいて、移動局装置１は、複数の下りリンクコンポーネントキャリアで受信した複数の下りリンクデータに対する複数のＡＣＫ／ＮＡＣＫの送信に用いる変調シンボルの数を、少なくともＡＣＫ／ＮＡＣＫのビット数と上りリンクデータのビット数とＰＵＳＣＨの初期送信に割り当てられた無線リソースの量を用いて計算し、計算した変調シンボル数と予め決められた変調シンボル数を比較し、多いほうの変調シンボル数の変調シンボルを用いてＡＣＫ／ＮＡＣＫを物理上りリンク共用チャネルで送信する。
【０１５０】
また、本発明によれば、複数のコンポーネントキャリアを用いて移動局装置１と基地局装置３が無線通信を行なう無線通信システムにおいて、移動局装置１は、複数の下りリンクコンポーネントキャリアで受信した複数の下りリンクデータに対する複数のＡＣＫ／ＮＡＣＫの送信に用いるビット数を、基地局装置に設定された下りリンクコンポーネントキャリアの数から計算し、下りリンクデータを受信しなかった設定された下りリンクコンポーネントキャリアに対するＡＣＫ／ＮＡＣＫを予め決められた値にセットし、ＡＣＫ／ＮＡＣＫを符号化および変調し、ＰＵＳＣＨで送信する。
【０１５１】
これにより、複数の下りリンクコンポーネントキャリアで受信した複数のＰＤＳＣＨに対するＡＣＫ／ＮＡＣＫを１つのＰＵＳＣＨで送信する際に、効率的に移動局装置１が生成するＡＣＫ／ＮＡＣＫのビット系列のビット数を算出し、ＡＣＫ／ＮＡＣＫの符号化を行い、ＡＣＫ／ＮＡＣＫの送信に用いられる変調シンボルの数を算出し、ＡＣＫ／ＮＡＣＫの変調シンボルと上りリンクデータの変調シンボルをＰＵＳＣＨに多重して送信することができる。
【０１５２】
本発明に関わる基地局装置３、および移動局装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１５３】
尚、上述した実施形態における移動局装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１５４】
尚、ここでいう「コンピュータシステム」とは、移動局装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１５５】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１５６】
また、上述した実施形態における移動局装置１、基地局装置３の一部、又は全部を典型的には集積回路であるＬＳＩとして実現してもよいし、チップセットとして実現してもよい。移動局装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１５７】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１５８】
１（１Ａ、１Ｂ、１Ｃ）  移動局装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  ＨＡＲＱ制御部
１０１５  ＡＣＫ／ＮＡＣＫ制御部
３０１１  無線リソース制御部
３０１３  ＨＡＲＱ制御部
３０１５  ＡＣＫ／ＮＡＣＫ検出部
【図１】
2011259125.tif 000004
【図２】
2011259125.tif 000005
【図３】
2011259125.tif 000006
【図４】
2011259125.tif 000007
【図５】
2011259125.tif 000008
【図６】
2011259125.tif 000009
【図７】
2011259125.tif 000010
【図８】
2011259125.tif 000011